【手続補正書】
【提出日】平成28年10月25日(2016.10.25)
【手続補正１】
【補正対象書類名】特許請求の範囲
【補正対象項目名】全文
【補正方法】変更
【補正の内容】
【特許請求の範囲】
【請求項１】
クラブヘッド中に画定されたクラブヘッドチャンバへのアクセスを提供するホーゼル区域を有するゴルフクラブヘッド；
第一端および反対側の第二端を有する概して円柱形であるシャフトアダプタであって、該シャフトアダプタの外面が第一の回動阻止構造を含み、該第一の回動阻止構造が該シャフトアダプタの外面をとりまく表面において一様ではなく、該第二端が固定構造を含む、シャフトアダプタ；
概して円柱形であるホーゼルアダプタであって、該ホーゼルアダプタの第一端の内部ボアが、該第一の回動阻止構造と係合する第二の回動阻止構造を含み、該第二の回動阻止構造が該ホーゼルアダプタの第一端の内部ボアをとりまく表面において一様ではなく、さらに、該ホーゼルアダプタの外面が第三の回動阻止構造を含み、該第三の回動阻止構造が該ホーゼルアダプタの外面をとりまく表面において一様ではない、ホーゼルアダプタ；
該クラブヘッドチャンバ内に位置する内部ボアであって、該内部ボアが、該第三の回動阻止構造と係合する第四の回動阻止構造を含み、該第四の回動阻止構造が該内部ボアをとりまく表面において一様ではない、内部ボア；
該シャフトアダプタの円柱形内部チャンバ中に係合するシャフト；および
該シャフトアダプタおよび該ホーゼルアダプタを解放可能に固定するための固定システム
を含み、
クラブヘッドのフェース角またはロフト角のうち一方の調節がホーゼルアダプタ上の第一のインジケータに基づき、該フェース角または該ロフト角のうち他方の調節が、シャフトアダプタ上の第二のインジケータを該第一のインジケータに整列させることによって設定され、該フェース角の調節が該ロフト角の調節とは実質的に独立しており、該ロフト角の調節が該フェース角の調節とは実質的に独立している、ゴルフクラブ。
【請求項２】
第一の回動阻止構造が第一のスプライン配置形態を含み、第二の回動阻止構造が第二のスプライン配置形態を含み、第三の回動阻止構造が第三のスプライン配置形態を含み、第四の回動阻止構造が第四のスプライン配置形態を含む、請求項1記載のゴルフクラブ。
【請求項３】
第一のスプライン配置形態と第二のスプライン配置形態との係合が、ロフト角の調節可能性を5種類の異なるロフト角に制限する、請求項2記載のゴルフクラブ。
【請求項４】
5種類のロフト角が、8.5°、9.5°、10.5°、11.5°、および12.5°である、請求項3記載のゴルフクラブ。
【請求項５】
第三のスプライン配置形態と第四のスプライン配置形態との係合が、フェース角の調節可能性を3種類の異なるフェース角配置形態に制限する、請求項2記載のゴルフクラブ。
【請求項６】
3種類のフェース角配置形態が、オープン、ニュートラル、およびクローズである、請求項5記載のゴルフクラブ。
【請求項７】
解放可能に結合されたヘッドおよびシャフトを有するゴルフクラブであって、
該ヘッドを該シャフトに結合するための接続機構を含み、
該接続機構が、
該ヘッドのホーゼルに挿入可能かつ該ホーゼル内で第一の複数の回動位置の間で回動可能なホーゼルアダプタと、
末端において該シャフトに結合され、該ホーゼルアダプタの中に嵌まるように構成されたシャフトアダプタであって、該ホーゼルアダプタ内で第二の複数の回動位置の間で回動可能である、シャフトアダプタと
を含み、
該ホーゼルアダプタまたは該シャフトアダプタのうち少なくとも一方が該シャフトまたは該ヘッドのいずれかに解放可能に接続され、さらに、該第一の複数の回動位置が、該ヘッドと該シャフトとの間の第一の角度関係を変化させ、該第二の複数の回動位置が、該ヘッドと該シャフトとの間の第二の角度関係を変化させ、該第一の角度関係および該第二の角度関係が、互いに実質的に独立して調節され、該第一および第二の角度関係が該ヘッドのフェース角および該ヘッドのロフト角であり、
さらに、該第一の複数の回動位置が、該ホーゼルアダプタと該ヘッドの該ホーゼルとの間の第一のスプライン配置形態によって制限され、該第二の複数の回動位置が、該ホーゼルアダプタと該シャフトアダプタとの間の第二のスプライン配置形態によって制限され、
該ヘッドのフェース角またはロフト角のうち一方の調節がホーゼルアダプタ上の第一のインジケータに基づき、該フェース角または該ロフト角のうち他方の調節が、シャフトアダプタ上の第二のインジケータを該第一のインジケータに整列させることによって設定され、第一のスプライン配置形態が、該ホーゼルアダプタと該ホーゼルとの間の一様でない回動阻止構造の第一の対によって画定され、第二のスプライン配置形態が、該シャフトアダプタと該ホーゼルアダプタとの間の一様でない回動阻止構造の第二の対によって画定される、ゴルフクラブ。
【請求項８】
第一のスプライン配置形態の係合が、ロフト角の調節可能性を5種類の異なるロフト角に制限する、請求項7記載のゴルフクラブ。
【請求項９】
5種類のロフト角が、8.5°、9.5°、10.5°、11.5°、および12.5°である、請求項8記載のゴルフクラブ。
【請求項１０】
第二のスプライン配置形態の係合が、フェース角の調節可能性を3種類の異なるフェース角配置形態に制限する、請求項7記載のゴルフクラブ。
【請求項１１】
3種類のフェース角配置形態が、オープン、ニュートラル、およびクローズである、請求項10記載のゴルフクラブ。
【請求項１２】
解放可能に結合されたヘッドおよびシャフトを有するゴルフクラブであって、
該ヘッドを該シャフトに結合するための接続機構を含み、
該接続機構が、
該ヘッドのホーゼルに挿入可能、かつ該ホーゼル内で、該ヘッドのロフト角と対応する第一の複数の回動位置の間で回動可能なホーゼルアダプタと、
末端において該シャフトに結合され、かつ該ホーゼルアダプタに挿入可能なシャフトアダプタであって、該ホーゼルアダプタ内で、該ヘッドのフェース角と対応する第二の複数の回動位置の間で回動可能である、シャフトアダプタと
を含み、
該ホーゼルアダプタまたは該シャフトアダプタのうち少なくとも一方が該シャフトまたは該ヘッドのいずれかに解放可能に接続され、さらに、該第一の複数の回動位置が、該ヘッドのロフト角を変化させ、該第二の複数の回動位置が、該ヘッドおよび該シャフトのフェース角を変化させ、該フェース角の変化が該ロフト角の変化とは実質的に独立しており、該ロフト角の変化が該フェース角の変化とは実質的に独立しており、
さらに、該第一の複数の回動位置が、該ホーゼルアダプタと該ヘッドの該ホーゼルとの間の第一のスプライン配置形態によって制限され、該第二の複数の回動位置が、該ホーゼルアダプタと該シャフトアダプタとの間の第二のスプライン配置形態によって制限され、
該ヘッドのフェース角またはロフト角のうち一方の調節がホーゼルアダプタ上の第一のインジケータに基づき、該フェース角または該ロフト角のうち他方の調節が、シャフトアダプタ上の第二のインジケータを該第一のインジケータに整列させることによって設定され、第一のスプライン配置形態が、該ホーゼルアダプタと該ホーゼルとの間の一様でない回動阻止構造の第一の対によって画定され、第二のスプライン配置形態が、該シャフトアダプタと該ホーゼルアダプタとの間の一様でない回動阻止構造の第二の対によって画定される、ゴルフクラブ。
【請求項１３】
第一のスプライン配置形態の係合が、ロフト角の調節可能性を5種類の異なるロフト角に制限する、請求項12記載のゴルフクラブ。
【請求項１４】
5種類のロフト角が、8.5°、9.5°、10.5°、11.5°、および12.5°である、請求項13記載のゴルフクラブ。
【請求項１５】
第二のスプライン配置形態の係合が、フェース角の調節可能性を3種類の異なるフェース角配置形態に制限する、請求項12記載のゴルフクラブ。
【請求項１６】
3種類のフェース角配置形態が、オープン、ニュートラル、およびクローズである、請求項15記載のゴルフクラブ。